(57)【要約】  繰り返し送信を適切に行うこと。受信装置は、所定チャネルの複数の繰り返し送信の中の少なくとも１つの繰り返し送信を受信する受信部と、所定条件に基づいて、前記複数の繰り返し送信における前記少なくとも１つの繰り返し送信の情報を識別するか否かを決定する制御部と、を有する。
2019186737.tif 000002
【特許請求の範囲】
【請求項１】
所定チャネルの複数の繰り返し送信の中の少なくとも１つの繰り返し送信を受信する受信部と、
所定条件に基づいて、前記複数の繰り返し送信における前記少なくとも１つの繰り返し送信の情報を識別するか否かを決定する制御部と、を有することを特徴とする受信装置。
【請求項２】
前記制御部は、前記少なくとも１つの繰り返し送信の情報を識別すると決定した場合、前記複数の繰り返し送信の信号を合成することを特徴とする請求項１に記載の受信装置。
【請求項３】
前記所定条件は、上位レイヤを介した通知、前記少なくとも１つの繰り返し送信の時間リソース及び周波数リソース、前記少なくとも１つの繰り返し送信の送信モード、前記少なくとも１つの繰り返し送信のジョイント送信、前記少なくとも１つの繰り返し送信に含まれるデータの複製、前記少なくとも１つの繰り返し送信に含まれるデータの符号化率、前記少なくとも１つの繰り返し送信に含まれる下り制御情報のアグリゲーションレベル、前記少なくとも１つの繰り返し送信に含まれるデータの冗長バージョン、前記少なくとも１つの繰り返し送信に含まれる下り制御情報の内容、の少なくとも１つの条件であることを特徴とする請求項１又は請求項２に記載の受信装置。
【請求項４】
前記制御部は、前記少なくとも１つの繰り返し送信の情報を識別すると決定した場合、前記少なくとも１つの繰り返し送信に含まれる下り制御情報、前記少なくとも１つの繰り返し送信に含まれるデータの冗長バージョン、前記少なくとも１つの繰り返し送信に含まれる信号のスクランブル系列、前記少なくとも１つの繰り返し送信に含まれる下り制御情報のアグリゲーションレベル、の少なくとも１つに基づいて、前記少なくとも１つの繰り返し送信の情報を特定する請求項１から請求項３のいずれかに記載の受信装置。
【請求項５】
データチャネルの繰り返し送信を行う送信部と、
前記繰り返し送信に関する情報を含む制御情報を、データチャネル上にマッピングする制御部と、を有することを特徴とする送信装置。
【請求項６】
所定チャネルの複数の繰り返し送信の中の少なくとも１つの繰り返し送信を受信する工程と、
所定条件に基づいて、前記複数の繰り返し送信における前記少なくとも１つの繰り返し送信の情報を識別するか否かを決定する工程と、を有することを特徴とする無線通信方法。
【発明の詳細な説明】
【技術分野】
【０００１】
本発明は、次世代移動通信システムにおける受信装置、送信装置及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）において、１ｍｓのサブフレーム（伝送時間間隔（ＴＴＩ：Transmission  Time  Interval）などともいう）を用いて、下りリンク（ＤＬ：Downlink）及び上りリンク（ＵＬ：Uplink）の少なくとも１つの通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００５】
また、無線基地局（例えば、ｅＮＢ（eNode  B））は、ユーザ端末（ＵＥ：User  Equipment）に対するデータの割当て（スケジューリング）を制御し、下り制御情報（ＤＣＩ：Downlink  Control  Information）を用いてデータのスケジューリング指示をＵＥに通知する。例えば、既存のＬＴＥ（例えば、ＬＴＥ  Ｒｅｌ．８−１３）に準拠するＵＥは、ＵＬ送信を指示するＤＣＩ（ＵＬグラントとも呼ばれる）を受信した場合に、所定期間後（例えば、４ｍｓ後）のサブフレームにおいて、ＵＬデータの送信を行う。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システムにおいては、既存のＬＴＥシステムとは異なる構成を用いてデータのスケジューリングを制御することが想定される。例えば、低遅延かつ高い信頼性が求められる通信サービス（例えば、ＵＲＬＬＣ（Ultra  Reliable  and  Low  Latency  Communications））を提供するために、通信遅延の低減（latency  reduction）が検討されている。【０００８】
また、幾つかのチャネルにおいて、繰り返し送信（repetition）を行うことが検討されている。しかし、繰り返し送信をどのように制御するかについてまだ十分に検討が進んでいない。繰り返し送信が適切に行われなければ、通信スループット、通信品質などの劣化が生じるおそれがある。【０００９】
そこで、本開示では、繰り返し送信を適切に行うことができる受信装置、送信装置及び無線通信方法を提供することを目的の１つとする。
【課題を解決するための手段】
【００１０】
本発明の一態様に係る受信装置は、所定チャネルの複数の繰り返し送信の中の少なくとも１つの繰り返し送信を受信する受信部と、所定条件に基づいて、前記複数の繰り返し送信における前記少なくとも１つの繰り返し送信の情報を識別するか否かを決定する制御部と、を有することを特徴とする。
【発明の効果】
【００１１】
本発明によれば、繰り返し送信を適切に行うことができる。
【図面の簡単な説明】
【００１２】
【図１】図１Ａ及び図１Ｂは、繰り返し送信の復号の一例を示す図である。
【図２】図２は、繰り返し送信の受信動作の一例を示す図である。
【図３】図３は、ジョイント送信の一例を示す図である。
【図４】図４Ａ及び図４Ｂは、ＰＤＣＰデータ複製の一例を示す図である。
【図５】図５は、本発明の一実施形態に係る無線通信システムの概略構成の一例を示す図である。
【図６】図６は、本発明の一実施形態に係る無線基地局の全体構成の一例を示す図である。
【図７】図７は、本発明の一実施形態に係る無線基地局の機能構成の一例を示す図である。
【図８】図８は、本発明の一実施形態に係るユーザ端末の全体構成の一例を示す図である。
【図９】図９は、本発明の一実施形態に係るユーザ端末の機能構成の一例を示す図である。
【図１０】図１０は、本発明の一実施形態に係る無線基地局及びユーザ端末のハードウェア構成の一例を示す図である。
【発明を実施するための形態】
【００１３】
将来の無線通信システム（例えば、ＬＴＥ  Ｒｅｌ．１４、１５以降、５Ｇ、ＮＲなど。）においては、繰り返し送信（repetition）を適用することが検討されている。例えば、基地局は、ＤＬデータ（例えば、下り共有チャネル（ＰＤＳＣＨ））の送信を繰り返して行う。また、例えば、基地局は、ＤＬ制御情報（例えば、下り制御チャネル（ＰＤＣＣＨ））の送信を繰り返して行う。また、例えば、ＵＥは、ＵＬデータ（例えば、上り共有チャネル（ＰＵＳＣＨ））の送信を繰り返して行う。また、例えば、ＵＥは、ＵＬ制御情報（例えば、上り制御チャネル（ＰＵＣＣＨ））の送信を繰り返して行う。
【００１４】
上記のように、ＰＤＣＣＨ／ｓＰＤＣＣＨ（ＰＤＣＣＨ及びｓＰＤＣＣＨの少なくとも１つ）の繰り返し送信が検討されている。
【００１５】
ＰＤＣＣＨ／ｓＰＤＣＣＨの繰り返し送信について、次のことが検討されている。
・基地局は、複数のＰＤＣＣＨ／ｓＰＤＣＣＨを繰り返し送信し、ユーザ端末は、当該繰り返し送信されたＰＤＣＣＨ／ｓＰＤＣＣＨを受信したのち合成（Ｓｏｆｔ−ｃｏｍｂｉｎｉｎｇ）し、単一のＰＤＣＣＨとして復号する。または、ユーザ端末は、当該繰り返し送信されたＰＤＣＣＨ／ｓＰＤＣＣＨを受信したのち合成せず、それぞれ別々のＰＤＣＣＨとして復号する。後者の場合、復号後のＰＤＣＣＨ／ｓＰＤＣＣＨの内容（ＤＣＩ／ｓＤＣＩの各フィールド）を見て、当該ＰＤＣＣＨ／ｓＰＤＣＣＨが繰り返しだったか否かを判断することもできる。
・基地局は、各フィールドの値が同じＤＣＩ／ｓＤＣＩを複数のＰＤＣＣＨ／ｓＰＤＣＣＨとして繰り返し送信する。または、基地局は、一部またはすべてのフィールドの値が異なるＤＣＩ／ｓＤＣＩを複数のＰＤＣＣＨ／ｓＰＤＣＣＨとして送信する。
【００１６】
また、ＰＤＳＣＨの繰り返し送信が検討されている。
【００１７】
ＰＤＳＣＨの繰り返し送信では、次の変形例が考えられる。
・変形例１：ＤＣＩ内の特定のフィールドにより、ＰＤＳＣＨの繰り返し送信を動的（dynamic）に制御する。
・変形例２：ＲＲＣシグナリングにより、ＰＤＳＣＨの繰り返し送信を準静的（semi-static）に設定する。
・変形例３：別々のＤＣＩにより、繰り返し送信を構成する各ＰＤＳＣＨを割り当てる。
・変形例４：準静的指示及び動的指示の組み合わせ（変形例１及び変形例２の組み合わせ）
【００１８】
また、ＰＤＳＣＨ繰り返し送信への周波数ホッピングの適用有無と実現方法について検討されている。
【００１９】
また、ＰＵＳＣＨの繰り返し送信が検討されている。
【００２０】
ＰＵＳＣＨの繰り返し送信では、次の変形例が考えられる。
・変形例１：ＤＣＩ内の特定のフィールドにより、ＰＵＳＣＨの繰り返し送信を動的（dynamic）に制御する。
・変形例２：ＲＲＣシグナリングにより、ＰＵＳＣＨの繰り返し送信を準静的（semi-static）に設定する。
・変形例３：別々のＤＣＩにより、繰り返し送信を構成する各ＰＵＳＣＨを割り当てる。
・変形例４：準静的指示及び動的指示の組み合わせ（変形例１及び変形例２の組み合わせ）
【００２１】
また、ＰＵＳＣＨ繰り返し送信への周波数ホッピングの適用有無と実現方法について検討されている。
【００２２】
また、ＰＵＣＣＨの繰り返し送信が検討されている。
【００２３】
ＰＤＣＣＨ繰り返し送信では、ある所定のＤＣＩを複数のＰＤＣＣＨで繰り返し送信し、同じ１つのＴＢ（Transport  Block）をスケジュールしてもよい。
【００２４】
所定のＤＣＩを送信するＰＤＣＣＨを複数用いるＰＤＣＣＨ繰り返し送信では、各ＰＤＣＣＨが同じ又は異なるパラメータを用いて送信されてもよい。ＰＤＣＣＨ繰り返し送信を構成する各ＰＤＣＣＨに対して異なる設定がされるパラメータとしては、例えば、ＰＤＣＣＨアグリゲーションレベル、ＰＤＣＣＨ送信モード（ＤＭＲＳ構成）、ＣＣＥ−ｔｏ−ＲＥＧマッピング（局所（localized）又は分散（distribute）、インターリーバ関連パラメータ）、の少なくとも１つであってもよい。
【００２５】
ＵＥは、同じＤＣＩ内容を有する１以上のＰＤＣＣＨを受信してもよい。ここで同じＤＣＩ内容とは、ＤＣＩを構成するすべてのフィールドが同じ値であることを言う。
【００２６】
ＮＷ（ネットワーク、例えば、無線基地局、ｅＮＢ、ｇＮＢ）が複数のＰＤＣＣＨを送る場合、ＵＥは、それらのＰＤＣＣＨのソフト合成を行ってもよいし、行わなくてもよい。
【００２７】
ＰＤＣＣＨ繰り返し送信において、１つのＴＢ（Transport  Block）をスケジュールする複数ＰＤＣＣＨでは、異なるＤＣＩ内容が送信されてもよい。ここで異なるＤＣＩ内容とは、ＤＣＩを構成する１以上のフィールドが異なる値を示すことを意味する。ＰＤＣＣＨ繰り返し送信では、異なるＤＣＩ内容を異なるＰＤＣＣＨで送信するものとしてよい。また、ＰＤＣＣＨ繰り返し送信では、これら異なるＤＣＩ内容を異なるＰＤＣＣＨで送信する場合、これらのＤＣＩは、同一のＴＢをＰＤＳＣＨにスケジュールするものであってよい。また、これらのＤＣＩは、同一のＴＢを異なるＰＤＳＣＨにそれぞれスケジュールするものであってもよいし、同じＰＤＳＣＨにスケジュールするものであってもよい。
【００２８】
異なるＤＣＩを送信するＰＤＣＣＨ繰り返し送信では、各ＰＤＣＣＨが同じ又は異なるパラメータを用いて送信されてもよい。パラメータは例えば、ＰＤＣＣＨアグリゲーションレベル、ＰＤＣＣＨ送信モード（ＤＭＲＳ設定）、ＣＣＥ−ｔｏ−ＲＥＧマッピング（局所（localized）又は分散（distribute）、インターリーバ関連パラメータ）、の少なくとも１つであってもよい。
【００２９】
ＵＥは、異なるＤＣＩ内容を有する１以上のＰＤＣＣＨを受信してもよい。ここで異なるＤＣＩ内容とは、ＤＣＩを構成する１つ以上のフィールドが異なる値であることを言う。
【００３０】
ＮＷ（ネットワーク、例えば、無線基地局、ｅＮＢ、ｇＮＢ、送受信ポイント（ＴＲＰ：Transmission  and  Reception  Point）、送信ポイント）が複数のＰＤＣＣＨを送る場合、ＵＥは、それらのＰＤＣＣＨのソフト合成を行わなくてもよい。
【００３１】
ＤＬ送信（ＰＤＣＣＨ又はＰＤＳＣＨ）に対し、現在の送信がｎ番目の送信であることをＵＥが知る必要があるか否か、が決められていない。ここで、ｎ＝１，２，…，Ｋであり、Ｋは繰り返し送信数（繰り返し回数）である。
【００３２】
もし現在の送信がＫ個の繰り返し送信のｎ番目の送信であることをＵＥが知ることができる場合、ＵＥは、繰り返し送信のソフト合成を適切に行うことができる。
【００３３】
例えば、図１Ａに示すように、Ｋが４である場合、ＮＷは、４回の繰り返し送信を行う。４回の繰り返し送信は、１以上のスロットにわたって行われてもよいし、繰り返し送信の一部またはすべてが１つのスロット内で行われてもよい。４回の繰り返し送信は、連続する４個のスロットにおいてそれぞれ行われてもよいし、繰り返し送信の一部またはすべてが１つのスロット内で行われてもよい。ＵＥは、４回の繰り返し送信のリソースを知っている場合、４回の繰り返し送信をソフト合成し、その結果を復号できるため、合成ダイバーシチゲインを得ることができる。
【００３４】
すなわち、ＵＥがＫ個の繰り返し送信のリソースを知っている場合、ＵＥがソフト合成を行うことによって性能を改善できる。一方、基地局は、そのリソースにおいてＫ個の繰り返し送信を行う必要がある。
【００３５】
もし繰り返し送信の有無及び繰り返し送信時の送信インデックスをＵＥが知らない場合、ＵＥは、個別の送信に対する受信復号処理を行い、ＣＲＣ（Cyclic  Redundancy  Check）のチェックがパスし、その内容を認知するまで、繰り返し送信があるかどうかを判別することができない。この場合、ソフト合成を行うのが困難になる。
【００３６】
もし現在の送信がＫ個の繰り返し送信のｎ番目の送信であることをＵＥが知らない場合、ＵＥは、繰り返し送信のソフト合成を行わなくてもよいし、行ってもよい。
【００３７】
ＵＥが、ソフト合成を行わない場合、ＵＥは、４回の繰り返し送信の１つを受信すればよいため、選択ダイバーシチゲインを得ることができる。
【００３８】
ＵＥが、ソフト合成を行う場合、ＵＥは、ソフト合成される複数の繰り返し送信の候補と、ソフト合成されない繰り返し送信の候補と、の少なくとも１つのブラインド復号を行ってもよい。
【００３９】
例えば、図１Ｂに示すように、Ｋが４である場合、ＮＷは、４回の繰り返し送信を行う。ＵＥが繰り返し送信の有無、及び／又は繰り返し番号を知らない場合、ＵＥは、ソフト合成を行う複数の繰り返し送信の組み合わせの候補と、ソフト合成を行わない繰り返し送信の候補と、を含む７個の候補の、ブラインド復号を行ってもよい。ＵＥは、７個の繰り返し候補の少なくとも１つの復号が成功した場合、その復号結果を繰り返し送信の復号結果として認識する。
【００４０】
このように、ＵＥがＫ個の繰り返し送信のリソースを知らず、かつソフト合成する場合、ＵＥの復号の負荷は増大する。一方、基地局は、Ｋ個の繰り返し送信のリソースを予め設定し、通知する必要がなく、Ｋ個の繰り返し送信の全てを送信する必要がないため、繰り返し送信のリソースを柔軟に制御できる。したがって、繰り返し送信のフレキシビリティが高くなる。
【００４１】
また、もし現在の送信がｎ番目の送信であること（繰り返し送信の有無、繰り返し送信の回数、現在の繰り返し送信の位置（送信機会（transmission  occasion）、リソース、番号、順序（order）、インデックス、系列（sequence）、冗長バージョン（Redundancy  Version：ＲＶ）））をＵＥが知る必要がある場合、ＵＥがどのようにして現在の送信がｎ番目の送信であると認識するか、が決められていない。
【００４２】
そこで、本発明者らは、受信装置が、所定条件に基づいて、複数の繰り返し送信（repetitions）における受信された繰り返し送信（repetition）の情報を識別するか否か（繰り返し送信の有無、繰り返し回数、及び各繰り返し送信の位置、の少なくとも１つが通知されるか否か、複数の繰り返し送信を合成するか否か）を決定することを着想した。また、本発明者らは、送信装置が、繰り返し送信に関する情報を含む制御情報を、データチャネル上にマッピングすることを着想した。
【００４３】
以下、本発明に係る実施形態について、図面を参照して詳細に説明する。各実施形態に係る無線通信方法は、それぞれ単独で適用されてもよいし、組み合わせて適用されてもよい。
【００４４】
なお、以下の実施形態は、ＤＬデータ（ＰＤＳＣＨ）、ＤＬ制御情報（ＰＤＣＣＨ）、ＵＬデータ（ＰＵＳＣＨ）、ＵＬ制御情報（ＰＵＣＣＨ）、の繰り返し送信に適用できる。
【００４５】
以下の説明において、ＤＬデータを送信する基地局、及びＵＬデータを送信するＵＥ、の少なくとも１つを、送信装置と読み替えてもよい。また、ＵＬデータを受信する基地局、及びＤＬデータを送信するＵＥ、の少なくとも１つを、受信装置と読み替えてもよい。
【００４６】
（第１の態様）
第１の態様では、受信装置が、ソフト合成などのために、繰り返し送信に関する情報（繰り返し送信情報）を認識する必要があるか否かを決定する条件（所定条件）が定義される。繰り返し送信情報は、繰り返し送信の有無、繰り返し回数（例えば、Ｋ）、複数の繰り返し送信における現在の繰り返し送信の情報（送信機会、リソース、番号、順序、インデックス、系列、ＲＶ）、の少なくとも１つを示してもよい。
【００４７】
受信装置は、条件に基づいて、繰り返し送信情報が通知されるか否かを決定してもよいし、複数の繰り返し送信のソフト合成を行うか否かを決定してもよい。受信装置と同様にして送信装置も、条件に基づいて動作を決定してもよい。
【００４８】
例えば、図２に示すように、受信装置は、所定条件が成立するか否かを判定する（Ｓ１０）。
【００４９】
所定条件が成立する場合（Ｓ１０：Ｙ）、受信装置は、繰り返し送信情報を認識し（Ｓ２０）、繰り返し送信情報を用いて繰り返し送信の受信を行い（Ｓ３０）、このフローを終了する。繰り返し送信情報を用いる受信は、例えば、複数の繰り返し送信のソフト合成である。
【００５０】
所定条件が成立しない場合（Ｓ１０：Ｎ）、受信装置は、繰り返し送信情報を用いずに繰り返し送信の受信を行い（Ｓ４０）、このフローを終了する。繰り返し送信情報を用いない受信は、例えば、単一の繰り返し送信の受信、又は、繰り返し送信の複数の候補のブラインド復号である。
【００５１】
所定条件は、次の条件Ａ−１〜Ａ−６の１つであってもよいし、条件Ａ−１〜Ａ−６の２つ以上の組み合わせであってもよい。
【００５２】
＜条件Ａ−１＞
・ユーザ端末は、ＲＲＣシグナリング等による上位レイヤ設定に基づいて、受信装置が繰り返し送信情報を識別する必要がある（受信装置が繰り返し送信情報を通知される）か否かを通知される。
【００５３】
例えば、ＵＥは、ソフト合成を適切に行うために必要な情報（例えば、繰り返し送信回数並びに各繰り返し送信の繰り返しインデックス等）をＵＥが認識できるようにする（Ｅｎａｂｌｅｄ）か否かを、上位レイヤ（例えば、ＲＲＣシグナリング）によって設定されることができる。
【００５４】
上記設定がされない場合または設定がＤｉｓａｂｌｅｄである場合、ＵＥは繰り返し送信のソフト合成を行わなくてもよい。ＲＲＣ接続前等のデフォルトＵＥ動作は、ソフト合成を行うことであってもよい。この場合、初期アクセス時にソフト合成ゲインを得ることができる。あるいは、ＲＲＣ接続前等のデフォルトＵＥ動作は、ソフト合成を行わないことであってもよい。この場合、チャネル状態の良いユーザに対して不要な繰り返しがなされることを回避し、無線リソース効率を改善することができる。
【００５５】
繰り返し送信情報が設定されることが上位レイヤによってＵＥに設定される場合、繰り返し送信情報が上位レイヤによってＵＥに設定されてもよい。
【００５６】
＜条件Ａ−２＞
・繰り返し送信を構成する各繰り返しが、同一の時間／周波数リソース（時間リソース及び周波数リソース）と同一の送信モードの少なくとも１つを用いること
【００５７】
前記時間／周波数リソース及び送信モードの少なくとも１つは、上位レイヤによって設定されてもよいし、Ｌ１シグナリングによって指示されてもよい。
【００５８】
繰り返し送信を構成する各繰り返しが同一の時間／周波数リソースを用いる場合、合成ダイバーシチゲインは小さくなる。したがって、条件Ａ−２が成立する場合、ＵＥは、ソフト合成を行わないものとしてもよい。この場合、ＵＥは、繰り返し送信を構成する各繰り返しの時間／周波数リソース及び送信モードの少なくとも１つが同じであればソフト合成を行わなくてよいため、処理負担の増加を抑えることができる。一方、依然繰り返し送信はなされており、ユーザ端末は各繰り返しそれぞれに対して受信処理を行うことから、受信品質の改善は実現できる。また、この場合、ＵＥは、ソフト合成に必要な繰り返し送信情報を設定されなくてもよい。
【００５９】
あるいは、条件Ａ−２が成立する場合、ユーザ端末は、ソフト合成を行うものとしてもよい。この場合、ＵＥは、ソフト合成に必要な情報（例えば繰り返し回数並びに各繰り返しのインデックス等）を、上位レイヤ及び／又はＬ１シグナリングによって認識するものとしてもよい。ソフト合成を行うことにより、さらに受信品質を改善することができる。
【００６０】
＜条件Ａ−３＞
・繰り返し送信が複数の送信ポイント（ＴＰ又はTransmission  and  Reception  Point（ＴＲＰ））によるジョイント送信（ＪＴ）であること
【００６１】
図３に示すように、同一のＣＷが、同一の時間／周波数リソース及び同一のＤＭＲＳポートを用いる異なる送信ポイント（例えば、ＴＰ＃１、ＴＰ＃２）によって送信されてもよい。
【００６２】
ＵＥは、複数のＴＰからの信号が受信することによって、合成ダイバーシチゲインを得ることができ、性能を改善できるため、条件Ａ−３が成立した場合、ＵＥは、ソフト合成を行わなくてもよいし、ソフト合成に必要な繰り返し送信情報を設定されなくてもよい。
【００６３】
前記のように同一のＣＷが、同一の時間／周波数リソース及び同一のＤＭＲＳポートを用いて異なる送信ポイントから送信されることは、上位レイヤシグナリング又はＬ１シグナリング等によって、ＵＥに通知・設定されてもよい。
【００６４】
または、同一のＣＷが、異なる時間／周波数リソース及び異なるＤＭＲＳポートの少なくとも１つを用いて異なる送信ポイントから送信されることが、上位レイヤシグナリング又はＬ１シグナリング等によって通知・設定された場合、ＵＥは、異なる送信ポイントから送信された当該ＣＷを、ソフト合成するものとしてもよい。ソフト合成に必要な情報（繰り返し回数（この場合例えば送信ポイントの数）や繰り返しインデックス等）は、上位レイヤシグナリング又はＬ１シグナリング等によって通知・設定されるものとしてもよい。
【００６５】
＜条件Ａ−４＞
・ＰＤＣＰデータ複製（duplication）がアクティベート（有効化）されること
【００６６】
ＰＤＣＰデータ複製は、キャリアアグリゲーション（ＣＡ（図４Ａ））又はデュアルコネクティビティ（ＤＣ、又はMulti-Connectivity（ＭＣ）（図４Ｂ））において設定される複数のＣＣを用いて行われる。ＰＤＣＰデータ複製において、ＮＷは、ＰＤＣＰ（Packet  Data  Convergence  Protocol）レイヤにおいてパケットの複製を行い、複製された複数のパケットを異なるＣＣによって送信する。図４Ａに示すように、ＣＡベース構造においては、１つの基地局（例えば、ｇＮＢ又はｅＮＢ）がパケットの複製を行う。図４Ｂに示すようにＭＣ（ＤＣ）ベース構造においては、第１の基地局（例えば、ＭｇＮＢ（Master  gNB）又はＭｅＮＢ（Master  eNB））にわたってパケットの複製を行い、複製されたパケットを第２の基地局（例えば、ＳｇＮＢ（Secondary  gNB）又はＳｅＮＢ（Secondary  eNB））へ送信する。ここでのＤＣは、ＮＲ−ＮＲのＤＣであってもよいし、ＬＴＥ−ＮＲのＤＣ（ＥＮ（Ｅ−ＵＴＲＡ  ＮＲ）−ＤＣ）であってもよいし、ＮＲ−ＬＴＥのＤＣであってもよいし、ＬＴＥ−ＬＴＥのＤＣであってもよい。複数のパケットは、異なるＭＡＣ  ＰＤＵ（Protocol  Data  Unit）として送信される。これらのパケットは、異なるＤＣＩ内容を含む複数のＰＤＣＣＨによってスケジュールされてもよい。
【００６７】
複数のパケットが異なる周波数を用いて送信されることによって、ダイバーシチゲインが得られるため、条件Ａ−４が成立した場合、ＵＥは、ソフト合成を行わなくてもよいし、ソフト合成に必要な繰り返し送信情報を設定されなくてもよい。
【００６８】
例えばＵＥは、ＰＤＣＰデータ複製が設定されたパケット（ＭＡＣ  ＰＤＵ、ＰＤＣＰ  ＰＤＵ）はソフト合成を行わず、設定されてないパケット（ＭＡＣ  ＰＤＵ、ＰＤＣＰ  ＰＤＵ）が繰り返し送信された場合には、ソフト合成を行うものとしてもよい。
【００６９】
＜条件Ａ−５＞
・データチャネルの繰り返し送信において、各繰り返し送信に対する符号化率が、所定値ＣＲ＿ｍｉｎよりも低いこと
・制御チャネルの繰り返し送信において、各繰り返し送信に対するＡＬが、所定値（例えば、１６）以上であること
【００７０】
符号化率が低いデータチャネル、又は、ＡＬが高い制御チャネルは、受信性能が高いため、条件Ａ−５が成立した場合、ＵＥは、ソフト合成を行わなくてもよいし、ソフト合成に必要な繰り返し送信情報を設定されなくてもよい。
【００７１】
例えばＵＥは、データチャネルの符号化率がＣＲ＿ｍｉｎよりも小さい又は制御チャネルのＡＬが所定値よりも大きい場合はソフト合成を行わずに受信制御を行い、そうでない場合はソフト合成を行う受信制御を行うものとしてもよい。
【００７２】
＜条件Ａ−６＞
・データチャネルの繰り返し送信において、繰り返し送信に対してＲＶ循環（cycling）が行われないこと（例えば、ＲＶが０に固定されること）
・制御チャネルの繰り返し送信において、各繰り返し送信に対するＤＣＩ内容が異なること
【００７３】
ＲＶ循環は、ＲＶ系列（sequence）が異なる要素を含む系列（例えば、｛０，２，３，１｝、｛０，３，０，３｝）などに設定されることであってもよい。
【００７４】
ＲＶ循環が行われないとソフト合成しても符号化ゲインが得られない。また、ＤＣＩ内容が異なる複数のＰＤＣＣＨは、ソフト合成を行うことができない。よって、条件Ａ−６が成立した場合、ＵＥは、ソフト合成を行わなくてもよいし、ソフト合成に必要な繰り返し送信情報を設定されなくてもよい。
【００７５】
ＲＶ系列がＬ１シグナリング又はＲＲＣシグナリングによって設定・通知される場合、所定セルの所定の繰り返し送信に関して通知・設定されたＲＶ系列に応じて、ソフト合成の適用有無を制御してもよい。
【００７６】
上記の条件に基づいて、ソフト合成に必要な繰り返し送信情報がＵＥに設定されるか否かが決定されることによって、ソフト合成が必要である場合のみ、ソフト合成に必要な繰り返し送信情報がＵＥに設定されるため、不要な通知を防ぐことができる。また、上記の条件に基づいて、ソフト合成を行うか否かが決定されることによって、ソフト合成が必要である場合のみ、ＵＥがソフト合成を行うため、不要なソフト合成の処理を防ぐことができる。
【００７７】
（第２の態様）
第２の態様では、受信装置が、ソフト合成を必要とする場合に、繰り返し送信情報を識別する方法を示す。
【００７８】
＜オプション２−１＞
繰り返し送信情報が、Ｌ１シグナリングによって明示的に示されてもよい。
【００７９】
データチャネルの繰り返し送信において、繰り返し送信情報は、ＰＤＳＣＨ送信又はＰＵＳＣＨ送信に含まれてもよい。例えば、ＰＤＳＣＨ／ＰＵＳＣＨのペイロードの一部において、繰り返し送信に関する情報（繰り返しの回数と、このＰＤＳＣＨが何番目の繰り返しであるか）が含まれるものとしてもよい。
【００８０】
ＰＤＳＣＨの繰り返し送信において、繰り返し送信情報は、ＰＤＳＣＨ送信をスケジュールするＤＣＩに含まれてもよい。ＰＵＳＣＨの繰り返し送信において、繰り返し送信情報は、ＰＵＳＣＨ送信をスケジュールするＤＣＩに含まれてもよい。例えば、これらのＤＣＩのペイロードの一部において、繰り返し送信に関する情報（繰り返しの回数と、このＰＤＳＣＨが何番目の繰り返しであるか）が含まれるものとしてもよい。
【００８１】
繰り返し送信情報が明示的に通知されることによって、受信装置は、ソフト合成を適切に行うことができる。
【００８２】
＜オプション２−２＞
繰り返し送信情報が、暗示的に示されてもよい。
【００８３】
データチャネルの繰り返し送信と制御チャネルの繰り返し送信との両方において、繰り返し送信情報が時間領域情報に紐づけられてもよい。
【００８４】
例えば、ＤＣＩの受信タイミングまたはスロットの先頭シンボルを基準に、１番目の繰り返し送信が行われるシンボル位置、２番目の繰り返し送信が行われるシンボル位置、などが予め設定されてもよいし、仕様に規定されてもよい。すなわち、ＵＥは、受信したＤＣＩの時間位置（シンボル、スロットなど）または受信したＤＣＩが含まれるスロットの先頭シンボルに基づいて、各繰り返し送信の位置（送信機会、リソース、番号）を認識してもよい。
【００８５】
また、例えば、４つの連続するスロットにおいて繰り返し送信が行われる場合、スロットインデックス  ｍｏｄ  ４の値０−３のそれぞれを繰り返し送信のインデックスに関連づけてもよい。この場合、ＵＥは、当該値に基づいて、繰り返し送信のインデックスを認識してもよい。
【００８６】
データチャネルの繰り返し送信において、繰り返し送信情報が、ＲＶ循環（ＲＶ系列）と組み合わせられてもよい。例えば、ＲＶ系列が｛０，３，２，１｝である場合、ＲＶ＝０が１番目の繰り返し送信に紐づけられ、ＲＶ＝３，２，１がそれぞれ２，３，４番目の繰り返し送信に紐づけられてもよい。
【００８７】
データチャネルの繰り返し送信において、繰り返し送信情報が、ＤＭＲＳ系列とＰＤＳＣＨ又はＰＵＳＣＨに対するＣＲＣとの少なくとも１つに対するスクランブル系列に紐づけられてもよい。
【００８８】
制御チャネルの繰り返し送信において、繰り返し送信情報が、ＤＣＩに用いられるＡＬと組み合わせられてもよい。例えば、ＡＬ＝４が１番目の繰り返し送信に紐づけられ、ＡＬ＝８，１６，４がそれぞれ２，３，４番目の繰り返し送信に紐づけられてもよい。
【００８９】
これらの暗示的指示は、組み合わせられてもよい。
【００９０】
繰り返し送信情報が暗示的に通知されることによって、繰り返し送信情報の通知のオーバーヘッドを防ぐことができる。
【００９１】
第２の態様によれば、ＵＥは、現在の繰り返し送信を識別でき、繰り返し送信のソフト合成を適切に行うことができる。
【００９２】
（第３の態様）
第３の態様では、ＰＵＳＣＨ送信に対し、現在の送信パラメータを伝える新ＵＣＩタイプを定義する。特に設定グラント（configured  grant）ＰＵＳＣＨ送信（PUSCH  without  grant、grant-free  PUSCHとも呼ばれる）に対して有効である。
【００９３】
新ＵＣＩタイプのＵＣＩは、ＨＡＲＱ  ＩＤ（ＨＡＲＱプロセスＩＤ）、新規データ指示（New  Data  Indicator：ＮＤＩ）、ＲＶ、繰り返し送信情報、ＵＥ固有ＩＤ（例えば、ＲＮＴＩ）、の少なくとも１つを含んでもよい。
【００９４】
設定グラントＰＵＳＣＨ送信に用いられるリソースが、上位レイヤによってＵＥに設定されてもよい。設定グラントＰＵＳＣＨ送信が設定された場合、ＵＥは、必要なタイミングにＵＣＩを送信することができる。また、ＵＥは、ＵＣＩの値を決定し、送信することができる。ＵＥ固有ＩＤを受信した基地局は、ＰＵＳＣＨを送信したＵＥを特定できる。
【００９５】
新ＵＣＩタイプのＵＣＩは、ＵＣＩのペイロード長に依存した符号化方式を適用してもよい。新たなＵＣＩタイプは、ＣＲＣが付加されてもよい。
【００９６】
新ＵＣＩタイプのＵＣＩは、全てのＰＵＳＣＨ繰り返し送信と共に送信されてもよい。例えば、新ＵＣＩタイプのＵＣＩは、ＨＡＲＱ−ＡＣＫ、ＣＳＩと同様、ＵＣＩピギーバック（piggyback）ｏｎ  ＰＵＳＣＨ（UCI  on  PUSCHとも呼ばれる）によって送信されてもよい。
【００９７】
新ＵＣＩタイプに対し、新たなベータオフセット（beta  offset、βoffsetとも呼ばれる）が用いられてもよいし、ＨＡＲＱ−ＡＣＫ又はＣＳＩパート１のためのベータオフセットが再利用されてもよい。ベータオフセットは、ＵＣＩピギーバックにおいてＵＣＩに必要な予約（reserved）ＲＥ（Resource  Element）の量の決定に用いられる。
【００９８】
ＣＳＩは、複数のパートを有してもよい。ＣＳＩの第１パート（ＣＳＩパート１）は、例えば、ランク識別子（ＲＩ：Rank  Indicator）などの相対的にビット数の少ない情報であってもよい。ＣＳＩの第２パート（ＣＳＩパート２）は、ＣＳＩパート１に基づいて定まる情報（例えば、チャネル品質識別子（ＣＱＩ：Channel  Quality  Indicator）など相対的にビット数の多い情報）であってもよい。
【００９９】
新ＵＣＩタイプのＵＣＩのマッピング方式は、２ビットより多いＵＣＩ（ＨＡＲＱ−ＡＣＫ又はＣＳＩパート１）と同様であってもよい。
【０１００】
新ＵＣＩタイプのＵＣＩが繰り返し送信情報を含むことによって、ＵＥは、ＮＷへ繰り返し送信情報を明示的に通知できる。新ＵＣＩタイプのＵＣＩに含まれる情報（例えば、ＨＡＲＱ  ＩＤ、ＮＤＩ、ＲＶ）が、繰り返し送信情報と紐づけられてもよい。この場合、ＵＥは、ＮＷへ繰り返し送信情報を暗示的に通知できる。繰り返し送信情報がＵＥからＮＷへ通知されることによって、ＮＷは、ＰＤＳＣＨ繰り返し送信のソフト合成を行うことができる。
【０１０１】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１０２】
図５は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０３】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０４】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１０５】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１０６】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１０７】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１０８】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１０９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１１０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１１】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１２】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１３】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１４】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１１５】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１１６】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１１７】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１１８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１１９】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２０】
（無線基地局）
図６は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２１】
下りリンクによって無線基地局１０からユーザ端末２０に送信されるユーザデータは、上位局装置３０から伝送路インターフェース１０６を介してベースバンド信号処理部１０４に入力される。
【０１２２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２３】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２４】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２５】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１２６】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１２７】
また、送受信部１０３は、所定チャネル（例えば、ＰＵＳＣＨ、ＰＵＣＣＨ）の複数の繰り返し送信（repetitions）の中の少なくとも１つの繰り返し送信（repetition）を受信してもよい。
【０１２８】
また、送受信部１０３は、所定チャネル（例えば、ＰＤＳＣＨ、ＰＤＣＣＨ）の複数の繰り返し送信を行ってもよい。
【０１２９】
図７は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１３０】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１３１】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１３２】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１３３】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１３４】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１３５】
また、制御部３０１は、所定条件（例えば、Ａ−１〜Ａ−６の少なくとも１つ）に基づいて、複数の繰り返し送信における少なくとも１つの繰り返し送信の情報（繰り返し送信の有無、繰り返し送信の回数、各繰り返し送信の、送信機会、リソース、番号、順序、インデックス、系列、ＲＶ）を識別するか否かを決定してもよい。
【０１３６】
また、制御部３０１は、少なくとも１つの繰り返し送信の位置を識別すると決定した場合、複数の繰り返し送信の信号を合成（例えば、ソフト合成）してもよい。
【０１３７】
また、所定条件は、上位レイヤを介した通知、少なくとも１つの繰り返し送信の時間リソース及び周波数リソース、少なくとも１つの繰り返し送信の送信モード、少なくとも１つの繰り返し送信のジョイント送信、少なくとも１つの繰り返し送信に含まれるデータの複製、少なくとも１つの繰り返し送信に含まれるデータの符号化率、少なくとも１つの繰り返し送信に含まれる下り制御情報のアグリゲーションレベル、少なくとも１つの繰り返し送信に含まれるデータの冗長バージョン、少なくとも１つの繰り返し送信に含まれる下り制御情報の内容、の少なくとも１つの条件であってもよい。
【０１３８】
また、制御部３０１は、少なくとも１つの繰り返し送信の情報を識別すると決定した場合、少なくとも１つの繰り返し送信に含まれる下り制御情報、少なくとも１つの繰り返し送信に含まれるデータの冗長バージョン、少なくとも１つの繰り返し送信に含まれる信号のスクランブル系列、少なくとも１つの繰り返し送信に含まれる下り制御情報のアグリゲーションレベル、の少なくとも１つに基づいて、少なくとも１つの繰り返し送信の情報を特定してもよい。
【０１３９】
また、制御部３０１は、繰り返し送信を行うために、繰り返し送信に関する情報（例えば、繰り返し送信の情報（繰り返し送信の有無、繰り返し送信の回数、各繰り返し送信の、送信機会、リソース、番号、順序、インデックス、系列、ＲＶ））を含む制御情報（例えば、ＤＣＩ）を、データチャネル（例えば、ＰＤＳＣＨ）上にマッピングしてもよい。
【０１４０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１４１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４２】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１４３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１４４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４５】
測定部３０５は、受信した信号に関する測定を実施する。測定部３０５は、本発明に係る技術分野での共通認識に基づいて説明される測定器、測定回路又は測定装置から構成することができる。
【０１４６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４７】
（ユーザ端末）
図８は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４９】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５１】
また、送受信部２０３は、所定チャネル（例えば、ＰＤＳＣＨ、ＰＤＣＣＨ）の複数の繰り返し送信（repetitions）の中の少なくとも１つの繰り返し送信（repetition）を受信してもよい。
【０１５２】
また、送受信部２０３は、所定チャネル（例えば、ＰＵＳＣＨ、ＰＵＣＣＨ）の複数の繰り返し送信を行ってもよい。
【０１５３】
図９は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１５４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５５】
制御部４０１は、ユーザ端末２０全体の制御を実施する。制御部４０１は、本発明に係る技術分野での共通認識に基づいて説明されるコントローラ、制御回路又は制御装置から構成することができる。
【０１５６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５８】
また、制御部４０１は、所定条件（例えば、Ａ−１〜Ａ−６の少なくとも１つ）に基づいて、複数の繰り返し送信における少なくとも１つの繰り返し送信の位置（送信機会、リソース、番号、順序、インデックス、系列、ＲＶ）を識別するか否かを決定してもよい。
【０１５９】
また、制御部４０１は、少なくとも１つの繰り返し送信の位置を識別すると決定した場合、複数の繰り返し送信の信号を合成（例えば、ソフト合成）してもよい。
【０１６０】
また、所定条件は、上位レイヤを介した通知、少なくとも１つの繰り返し送信の時間リソース及び周波数リソース、少なくとも１つの繰り返し送信の送信モード、少なくとも１つの繰り返し送信のジョイント送信、少なくとも１つの繰り返し送信に含まれるデータの複製、少なくとも１つの繰り返し送信に含まれるデータの符号化率、少なくとも１つの繰り返し送信に含まれる下り制御情報のアグリゲーションレベル、少なくとも１つの繰り返し送信に含まれるデータの冗長バージョン、少なくとも１つの繰り返し送信に含まれる下り制御情報の内容、の少なくとも１つの条件であってもよい。
【０１６１】
また、制御部４０１は、少なくとも１つの繰り返し送信の位置を識別すると決定した場合、少なくとも１つの繰り返し送信に含まれる下り制御情報、少なくとも１つの繰り返し送信に含まれるデータの冗長バージョン、少なくとも１つの繰り返し送信に含まれる信号のスクランブル系列、少なくとも１つの繰り返し送信に含まれる下り制御情報のアグリゲーションレベル、の少なくとも１つに基づいて、少なくとも１つの繰り返し送信の位置を特定してもよい。
【０１６２】
また、制御部４０１は、繰り返し送信を行うために、繰り返し送信に関する情報（例えば、繰り返し送信の位置（送信機会、リソース、番号、順序、インデックス、系列、ＲＶ））を含む制御情報（例えば、ＵＣＩ）を、データチャネル（例えば、ＰＵＳＣＨ）上にマッピングしてもよい。
【０１６３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１６４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１６５】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１６６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１６７】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６８】
測定部４０５は、受信した信号に関する測定を実施する。測定部４０５は、本発明に係る技術分野での共通認識に基づいて説明される測定器、測定回路又は測定装置から構成することができる。
【０１６９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１７０】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１７１】
例えば、本発明の一実施形態における無線基地局、ユーザ端末などは、本発明の無線通信方法の処理を行うコンピュータとして機能してもよい。図１０は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１７４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１７５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１７６】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１７７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１７８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１８０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８３】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８４】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１８５】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１８６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８８】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１８９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１９１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１９４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９５】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９６】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９７】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９８】
また、情報、信号などは、上位レイヤから下位レイヤ、及び／又は下位レイヤから上位レイヤへ出力され得る。情報、信号などは、複数のネットワークノードを介して入出力されてもよい。
【０１９９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２００】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２０６】
本明細書において使用する「システム」及び「ネットワーク」という用語は、互換的に使用される。
【０２０７】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０９】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１２】
同様に、本明細書におけるユーザ端末は、無線基地局で読み替えてもよい。この場合、上述のユーザ端末２０が有する機能を無線基地局１０が有する構成としてもよい。
【０２１３】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１４】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２１５】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１６】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１７】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２１８】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１９】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２２０】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２２１】
本明細書において、「ＡとＢが異なる」という用語は、「ＡとＢが互いに異なる」ことを意味してもよい。「離れる」、「結合される」などの用語も同様に解釈されてもよい。
【０２２２】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２２３】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019186737.tif 000003
【図２】
2019186737.tif 000004
【図３】
2019186737.tif 000005
【図４】
2019186737.tif 000006
【図５】
2019186737.tif 000007
【図６】
2019186737.tif 000008
【図７】
2019186737.tif 000009
【図８】
2019186737.tif 000010
【図９】
2019186737.tif 000011
【図１０】
2019186737.tif 000012
【国際調査報告】
2019186737.tif 000013
2019186737.tif 000014
2019186737.tif 000015
2019186737.tif 000016